(57)【要約】      （修正有）【課題】外科手術において、小型で使い勝手がよく、生体血管や人工血管を挫滅することなく確実に血流を遮断する止血鉗子を提供する。【解決手段】本止血鉗子１００は、アーム２０ａ、２０ｂと操作レバー３０とを有する、外科手術に用いられる止血鉗子１００であって、アーム２０ａ、２０ｂが、枢軸２１を介してアーム２０ａ、２０ｂの中央を軸支する軸支部２４と、軸支部２４から前方に延設して形成される一対の挟持部２２ａ、２２ｂと、軸支部２４から後方に延設して形成され連結ピン４０ａ、４０ｂで操作レバー３０に連結される一対の連結部２３ａ、２３ｂとを備え、操作レバー３０が、支軸３１を介して連結され支軸３１周りに回動自在である押引部３３と、連結ピン４０ａ、４０ｂを介して連結部２３ａ、２３ｂに連結する一対のリンク部３２ａ、３２ｂとを備えることを特徴とする。【選択図】図１
0003161832.tif 000002
【実用新案登録請求の範囲】
【請求項１】
枢軸周りに回動自在であるアームと前記アームを操作する操作レバーとを有する、外科手術に用いられる止血鉗子であって、
前記アームが、前記枢軸を介して前記アームの中央を軸支する軸支部と、前記軸支部から前方に延設して形成される一対の挟持部と、前記軸支部から後方に延設して形成され連結ピンで前記操作レバーに連結される一対の連結部とを備え、
前記操作レバーが、支軸を介して連結され前記支軸周りに回動自在である押引部と、前記連結ピンを介して前記連結部に連結する一対のリンク部とを備える止血鉗子。
【請求項２】
前記操作レバーは、前記押引部を前記アームの前方に向かって押引することにより、前記支軸周りに回動力が作用し、前記回動力は前記アームの前記連結部を前記連結ピン周りに回動させるとともに前記一対の挟持部を開閉せしめることを特徴とする請求項1に記載の止血鉗子。
【請求項３】
前記アームは、
前記操作レバーの前記リンク部が前記支軸を中心として一直線に並ぶ位置へ移行したとき、前記一対の挟持部が閉じる閉状態と、
前記操作レバーの前記リンク部が前記支軸を介して互いに内角が１８０度未満又は１８０度を超えるとき、前記一対の挟持部が開く開状態と、
を有することを特徴とする請求項２に記載の止血鉗子。
【請求項４】
前記一対の挟持部は、前記閉状態のときに互いが所定の間隔を離間対向して形成されることを特徴とする請求項１ないし３のいずれか１項に記載の止血鉗子。
【請求項５】
前記アームは可撓性があることを特徴とする請求項１ないし４のいずれか１項に記載の止血鉗子。
【請求項６】
前記閉状態において、前記一対の挟持部が所定の径を有する生体血管又は人工血管を挟持したときに、挟持により前記枢軸を介して前記連結部に付勢力が生じることにより、前記操作レバーがロックされることを特徴とする請求項５に記載の止血鉗子。
【考案の詳細な説明】
【技術分野】
【０００１】
本考案は、外科手術に用いられる止血鉗子に関する。
【背景技術】
【０００２】
手術器具の一つとして、止血や生体組織の採取等の目的に応じて種々の形状を持った止血鉗子が用いられている。一般的な従来の止血鉗子１０の構造を図４に示す。図４（ａ），図４（ｂ）に示すように、一般的な止血鉗子は一対のレバー１１を所定位置で支軸５によって回動可能に接続して構成されている。支軸５から一方の端部側には人工血管や生体血管を挟んで止血し或いは組織を挟んで挟持する挟持部４ａ，４ｂが形成されており、他方の端部には手術者が指を挿入して操作する把持部１ａ，１ｂが形成されている。なお、把持部１ａ，１ｂと支軸５の間に柄部２ａ，２ｂが形成されている。
【０００３】
従来の止血鉗子１０は、挟持部４ａ，４ｂにより目的の血管等を挟んだ後、手術者が把持部１ａ，１ｂを離した後もその挟持状態を保持できる手術器具であり、そのために把手部１ａ，１ｂから内側に突設された係止部６ａ，６ｂが設けられている。それぞれの係止部６ａ，６ｂには、相互に係脱可能な凹凸が形成されていて、これら凹凸を係合させることで、使用者が手を離した場合でも、閉鎖状態を維持することができるようになっている。
【０００４】
すなわち、従来の止血鉗子１０は、支軸５を中心にして、把持部１が、図４（ａ）に示す閉鎖状態と図４（ｂ）に示す開放状態をとることができる。図４（ａ）に示す閉鎖状態においては、挟持部４のそれぞれの内側の挟持面７ａ，７ｂがほぼ合わさるようになっている。これら挟持面７ａ，７ｂには、滑り止め用の凹凸が形成されている。また、一方、図４（ｂ）に示す開放状態においては、係止部６の係合が解除されるとともに、把持面７ａ，７ｂが離間される。なお、実際に例えば、人工血管や生体血管などを挟持部４によって挟持する場合には、図４（ａ）の完全閉鎖状態の少し手前、すなわち挟持面７ａ，７ｂがわずかに間隙がある状態で人工血管や生体血管を挟持して圧力をかけ、血液が流れない程度に変形させ、この状態を維持するために係止部６により係合される。
【０００５】
このように、従来の一般の止血用の鉗子は、図４に示すように刃を持たないものの、全体の概形としては、はさみ形状に構成されている。止血鉗子は、外科手術の際に血流を止めるために生体血管や人工血管を挟持するため等に用いられる。止血鉗子は、適用部位、術野の深さ、手術方法の違いによって、多種多様の形状や長さが求められる。また、解剖学的血管形状や性状が脆弱である場合や、硬化や石灰化されている場合は、状況に応じた鉗子が求められる。
【０００６】
【特許文献１】特開２００３−１０２７３６号公報
【特許文献２】特開２００６−２３０７６７号公報
【考案の概要】
【考案が解決しようとする課題】
【０００７】
上記公知例に係る止血鉗子は充分に大きい挟持力を得ることができ、かつ把持部の操作が直接手術者の手で操作できるため、使い勝手が良いという利点がある。
しかし、上記従来のはさみ型の止血鉗子１０では以下の問題があった。
【０００８】
第１の問題は、従来のいわゆるはさみ型の止血鉗子１０は、長さが１１ｃｍないし１８．５ｃｍであることから、外科手術において、柄の部分が手術中の手術者の作業の邪魔になることである。また、柄の部分が重いため、血管等を挟持したまま術部から垂れ下がることから、患者に負担をかけることとなる。
【０００９】
第２の問題は、従来のはさみ型の止血鉗子１０の把持部１の使い勝手の問題である。止血鉗子の把持部１は通常は輪状のもので一方に親指を入れ、他方に人差し指又は中指を入れる、いわゆるはさみの持ち手のような構造をしているが、手術では止血する人工血管や生体血管の位置が常に手術者に正対する位置にあるとは限らず、斜めから人工血管や生体血管にアクセスせざるを得ない場合がある。このように斜め方向からアクセスする状況下では、一方に親指を入れ、他方に人差し指又は中指を入れて操作するはさみの持ち手のような操作が行いにくい場合がある。従来は手術者が立ち位置を変えたり、背伸びしたり、屈んだりなど姿勢を変えてアクセス角度を調整しなければならなかった。
【００１０】
第３の問題は、従来のはさみ型の止血鉗子１０では、挟持部４の開閉間隔が大きく、また、挟持部４の開閉動作が略平行の開閉動作ではなく角度がついた開閉動作であるという問題である。人工血管や生体血管の一時的な閉締を目的としているため、挟持部４の挟持間隔は、理想的には、人工血管や生体血管を挟むために適度な間隔で略平行に開き、その後、略平行のまま人工血管や生体血管を挫滅しない程度に間隔を調整できることが良い。しかし、上記従来の止血鉗子１０では、いわゆるはさみのような概形の回動動作になるため、挟持部４の先端部分の開閉が不必要に大きく、逆に挟持部４の根元部分の開閉が小さく、人工血管や生体血管などの細い組織を均等に押圧して閉締する操作にとって理想的な動作であるとは言えなかった。
【００１１】
第１の問題については、ブルドック鉗子と呼ばれる小型の止血鉗子が用いられる。ブルドック鉗子は、枢軸を中心に一対の操作レバーと一対の挟持部とが互いに異方向に突出し、所定個所に設けられた弾性体の付勢力によって一対の挟持部が閉じて、生体血管や人工血管を挟持するものである。すなわち、血管等を挟持する際には、ブルドック鉗子の操作レバーを握り込むことにより一対の挟持部を開き、開いた一対の挟持部の間に対象となる生体血管や人工血管を入れ、血管等を挟持し、鉗子のグリップに設けられたばね等により、血管等を挟持したまま操作レバーが固定される。しかし、人工透析等で動静脈吻合による内シャント術を行う際に用いられる、穿刺針や留置針等の医療用針の頻回の穿刺に対する穿刺耐性、及び吻合する生体血管や周辺組織に対する適合性に優れた人工血管については、ブルドック鉗子では人工血管全体を均一に挟持することができず、結果として血流を確実に遮断することができない。また血流を完全に遮断するために、挟持力を大きくすると、生体血管や人工血管を挫滅するおそれがある。
【００１２】
特許文献１は、これらの問題のうち、小型の血管挟持クリップを提案し、第１の問題と第３の問題について解決できるものの、当該クリップの構造では、特に人工血管に対して血流を確実に遮断するだけの十分な挟持力を得ることはできない。
【００１３】
特許文献２は、一対の後側アームを上下方向に互いに遠ざける方向に弾性変形させた後、閉じ方向に接近させるように構成して、挟持部同士が密着させる方向に付勢力を作用させて挟持力を強めることを提案している。これは、第２の問題と第３の問題について解決できるものの、構成上、柄の長さは長くなる。
【００１４】
上記問題点に鑑み、本考案は、簡単な機構を採用することにより、柄の短い小型の止血鉗子を提供することを目的とする。また、本考案は、手術者が、従来のはさみ型の鉗子のように一方の輪に親指をいれ、他方の輪に人差し指又は中指を入れるような把持部ではなく、「手指で押引する」という簡単な操作を可能とする止血鉗子を提供することを目的とする。さらに、本考案は、鉗子の先端の挟持部の離間距離を調整することにより、生体血管や人工血管を挫滅することなく血流を確実に遮断できる止血鉗子を提供することを目的とする。
【課題を解決するための手段】
【００１５】
上記目的を達成させるために、本考案に係る止血鉗子は、枢軸周りに回動自在であるアームとアームを操作する操作レバーとを有する、外科手術に用いられる止血鉗子であって、アームが、枢軸を介してアームの中央を軸支する軸支部と、軸支部から前方に延設して形成される一対の挟持部と、軸支部から後方に延設して形成され連結ピンで操作レバーに連結される一対の連結部とを備え、操作レバーが、支軸を介して連結され前記支軸周りに回動自在である押引部と、前記連結ピンを介して前記連結部に連結する一対のリンク部とを備えることを特徴とする。
【００１６】
なお、操作レバーは、押引部をアームの前方に向かって押引することにより、支軸周りに回動力が作用し、回動力はアームの連結部を連結ピン周りに回動させるとともに一対の挟持部を開閉させることができる。
【００１７】
また、一対の挟持部は、閉状態のときに互いが所定の間隔を離間対向して形成される。
【００１８】
本考案に係る止血鉗子は、可撓性を有するアームを備えることを特徴とする。
【００１９】
本考案に係る止血鉗子は、閉状態において、一対の挟持部が所定の径を有する血管等を挟持したときに、挟持により枢軸を介して連結部に作用する付勢力が生じ、操作レバーがロックされることを特徴とする。
【考案の効果】
【００２０】
本考案に係る止血鉗子によれば、構造が簡単で、止血鉗子の小型化が実現できるため、外科手術においての、柄の部分が手術中の作業の邪魔になることや、血管等を挟持したまま術部から垂れ下がること等が防止できる。
【００２１】
また、本考案に係る止血鉗子によれば、該構造により強い挟持力が得られ血流を確実に遮断することができ、かつ、一対の挟持部の互いの離間間隔の調整により、生体血管や人工血管を挫滅しない。
【００２２】
本考案に係る止血鉗子によれば、一対の挟持部の互いの離間間隔の調整により、挟持部の先端、中央、根元において、生体血管や人工血管を挟持した状態で略均一に挟持することができる。
【図面の簡単な説明】
【００２３】
【図１】本考案に係る止血鉗子について、（ａ）は、手術者から術部に向かって左方向からの開状態を示す斜視図であり、（ｂ）はその側面図である。
【図２】本考案に係る止血鉗子について、（ａ）は、閉状態を示す側面図であり、（ｂ）は（ａ）に破線で示されるＩ部分の拡大図である。
【図３】本考案に係る止血鉗子について、（ａ）は開状態から閉状態に移行する力の伝達を示し、（ｂ）は閉状態におけるリンク部がロックされる際の力の伝達を示す図である。（ｃ）は、閉状態におけるリンク部がロックされる際の力の拮抗を説明するため、操作レバーのみを取り出して示す図である。
【図４】従来技術に係る止血鉗子の構造を示す図である。
【考案を実施するための形態】
【００２４】
以下、本考案に係る止血鉗子を添付図面に示す好適実施例に基づいて詳細に説明する。なお、本考案はこれらの実施例に限定されるものではない。各図において、同一部分には同一番号を付し、重複する説明は省略する。また、図面は、本考案を理解するために誇張して表現している場合もあり、必ずしも縮尺どおり精緻に表したものではないことに留意されたい。
【実施例１】
【００２５】
実施例１を図面を参照して詳細に説明する。図１は、本考案に係る止血鉗子１００の開状態を示す図である。図１（ａ）は手術者から術部に向かって左方向からの開状態を示す斜視図であり、図１（ｂ）はその側面図である。
【００２６】
図１（ａ）及び図１（ｂ）を参照する。開状態とは、後述する一対のアーム２０ａ、２０ｂの挟持部２２ａ、２２ｂが開いた状態をさし、通常は開状態である。図に示すとおり、本考案に係る止血鉗子１００は、一対のアーム２０ａ、２０ｂと操作レバー３０を備えた構造となっている。後述するとおり、一対のアーム２０ａ、２０ｂは、操作レバー３０により操作される。
【００２７】
図１（ｂ）に示すとおり、一対のアーム２０ａ、２０ｂは、軸支部２４と、挟持部２２ａ、２２ｂと、連結部２３ａ、２３ｂとを備えている。
【００２８】
一対のアーム２０ａ、２０ｂは、その中央でいずれか一方から一体成形された枢軸２１を介して互いに連結され、その枢軸２１を介して軸支する部分に軸支部２４を備え、枢軸周りに回動することができる構造となっている。
【００２９】
また、一対のアーム２０ａ、２０ｂは、挟持部２２ａ、２２ｂが、互いが交差することなく軸支部２４から前方に延設して形成されており、ここで生体血管や人工血管を挟持する。開状態において、挟持部２２ａ、２２ｂは、枢軸２１を介して互いに離間している。
【００３０】
さらに、一対のアーム２０ａ、２０ｂは、連結部２３ａ、２３ｂが、軸支部２４から後方に延設して形成され、連結ピン４０ａ、４０ｂで操作レバー３０に連結される。連結部２３ａ、２３ｂは、支軸部２４にかけて先下がりに凹状態で円弧状の反りが形成されている。
【００３１】
操作レバー３０は、押引部３３と一対のリンク部３２ａ、３２ｂとから構成される。押引部３３は、一対のリンク部が支軸３１を介して連結され、支軸周りに回動自在となっている。一方、一対のリンク部３２ａ、３２ｂは、連結ピン４０ａ、４０ｂを介して連結部２３ａ、２３ｂに連結している。
【００３２】
開状態において、一対のリンク部３２ａ、３２ｂは、支軸３１を介して互いに内角が１８０度を超えない。
【００３３】
次に、図２を参照する。図２（ａ）は、本考案に係る止血鉗子の閉状態を示す側面図であり、図２（ｂ）は図２（ａ）に破線で示されるＩ部分の拡大図である。閉状態とは、後述する一対のアーム２０ａ、２０ｂの挟持部２２ａ、２２ｂが閉じた状態をさし、生体血管や人工血管を挟持して血流を遮断する状態をいう。
【００３４】
図２（ａ）に示すとおり、本考案に係る止血鉗子１００は、操作レバー３０のリンク部３２ａ、３２ｂが支軸３１を中心として一直線に並ぶ位置へ移行したとき、一対の挟持部２２ａ、２２ｂが閉じる閉状態となっている。
【００３５】
開状態から閉状態の動作を詳しく説明する。まず、操作レバー３０の押引部３３をアーム２０ａ、２０ｂの先端に向かって押す。すると、押された押引部３３がアーム２０ａ、２０ｂの先端方向に移動することにより、支軸３１を支点としてリンク部３２ａ、３２ｂが開くように回動する。そして、このリンク部３２ａ、３２ｂの支軸周りの回動力は、連結部２３ａ、２３ｂを連結ピン４０ａ、４０ｂ周りに開くように回動させ、リンク部３２ａ、３２ｂが支軸３１を介して一直線に並ぶ。そうすると、連結部２３ａ、２３ｂの回動によって枢軸２１を支点として一対の挟持部２２ａ、２２ｂを閉じることとなる。
【００３６】
次に、図２（ｂ）を参照する。図２（ｂ）によると、本考案に係る止血鉗子１００は、一対の挟持部２２ａ、２２ｂが、閉状態のときに互いが所定の間隔を離間対向して形成されている。この所定の間隔は、生体血管や人工血管の径ならびに材質により調整されうる。換言すれば、該所定の間隔は、一対の挟持部２２ａ、２２ｂが生体血管や人工血管を挟持する際、生体血管や人工血管を挫滅しないよう調整される。
【００３７】
以下、人工血管２００の挟持について説明する。
【００３８】
人工血管は、動脈瘤や血管狭窄等病んだ生体血管の代わりに、その血管を切り取って置き換えるため若しくはバイパス経路を作成するために用いられる。また、人工透析をするときのシャントとしても使用される。特に、人工透析等の頻度に穿刺が行われる人工血管については、人工血管から血液が漏れると、瘤や血腫の形成や石灰化等が発生することが報告されている。特開平８−３３２２１８号公報や特開２００５−１５２１７８号公報によると、該問題を解決するため、多層構造の人工血管が提案されている。
【００３９】
例えば、上述した特開平８−３３２２１８号公報によると、生体適合性に優れた多孔質の内層と外層との間に、穿刺耐性に優れたスチレン系エラストマー及び／又はオレフィン系エラストマーにイソプレン誘導体を配合した材料からなる中間層を設ける人工血管が提案されている。また、テルモ社の人工血管には、腎不全患者の血液透析等における体外循環のためのブラッドアクセス造設及び修復に用いられる、内外層が多孔体、中層は無孔体の三層構造を有した人工血管がある。
【００４０】
具体例として、テルモ社製の多層構造の人工血管グラシル（登録商標）２００を挟持する場合について説明する。該人工血管２００の内径は５．６ｍｍである。該人工血管２００を挟持する一対の挟持部２２ａ、２２ｂは、閉状態のときに互いが０．２〜０．４ｍｍを離間対向して形成されている。操作レバー３０のリンク部３２ａ、３２ｂが支軸３１を中心として一直線に並ぶ位置へ移行したとき、一対の挟持部２２ａ、２２ｂが閉じる閉状態になるが、上述の離間間隔により、人工血管２００を挫滅することなく挟持し、血流を確実に遮断することができる。
【００４１】
離間間隔は、操作レバー３０のリンク部３２ａ、３２ｂの寸法や鉗子の材料によって調整されうる。
【００４２】
次に図３を参照して、本考案に係る止血鉗子１００に係るロック機構を説明する。図３（ａ）は開状態から閉状態に移行する力の伝達を示し、図３（ｂ）は閉状態におけるリンク部がロックされる際の力の伝達を示す図である。図３（ｃ）は、閉状態におけるリンク部がロックされる際の力の拮抗を説明するため、操作レバーのみを取り出して示す図である。なお、矢印は力の作用する方向を示している。
【００４３】
まず、該ロック機構が働くためには、本考案に係る止血鉗子１００に係るアーム２０ａ、２０ｂが可撓性を有する必要がある。このアーム２０ａ、２０ｂの可撓性により、閉状態において、一対の挟持部２２ａ、２２ｂが所定の径を有する血管等を挟持したときに、挟持により枢軸２１を介して連結部２３ａ、２３ｂに付勢力が生じることにより、操作レバー３０がロックされるのである。
【００４４】
以下、詳細に説明する。図３（ａ）を参照する。図面左右方向において、押引部３３が左方向に押されると、押引部３３は左方向に移動する。押引部３３の左方向への移動によって、操作レバー３０のリンク部３２ａ、３２ｂは支軸３１を支点として、矢印のように図面上下方向にそれぞれ回動する。そして、リンク部３２ａ、３２ｂの図面上下方向の回動により、連結ピン４０ａ、４０ｂもまた矢印のように図面上下方向にそれぞれ回動する。そうすると、アーム２０ａ、２０ｂの連結部２３ａ、２３ｂは、連結ピン４０ａ、４０ｂを支点として図面上下方向にそれぞれ回動する。その結果、挟持部２２ａ、２２ｂは、枢軸２１を支点としてそれぞれ矢印のように両者の間隔が狭まるように動作し、挟持対象物である血管等２００を挟持することとなる。このように、図３（ａ）に示されるとおり、押引部３３が上記左方向に押され、一連の力の伝達の結果、結果として挟持部２２ａ、２２ｂが閉じる閉状態に移行する。
【００４５】
次に、図３（ｂ）を参照して、止血鉗子１００が閉状態のときに生じる付勢力について説明する。ここで、止血鉗子１００が閉状態になるのは、リンク部３２ａ、３２ｂが支軸３１を介して一直線に並ぶ位置に移行したときである。図３（ａ）に示されるように、血管等２００を挟持すると、血管等２００が挟持部２２ａ、２２ｂの間において押圧されるが、このとき血管等２００に矢印のような付勢力が生じる。また、血管等２００の付勢力とともに、可撓性を有するアーム２０ａ、２０ｂにも付勢力は、枢軸２１を介してアームの連結部２３ａ、２３ｂに矢印のとおり図面上下方向に伝えられることとなる。そうすると、連結部２３ａ、２３ｂに伝えられる図面上下方向の力は、矢印のとおり、支軸３１を介して一直線に並ぶリンク部３２ａ、３２ｂ、すなわち操作レバー３０を上下から締め付けることとなる。
【００４６】
図３（ａ）及び図３（ｂ）に示される作用力を、操作レバー３０のみを取り出して、図３（ｃ）に示す。すなわち、リンク部３２ａ、３２ｂが支軸３１を介して一直線に並ぶ位置に移行したとき、図３（ａ）において示される作用力と、図３（ｂ）において示される、付勢力による作用力とが、図面左右方向への力を生ずることなく、図面上下方向で拮抗することにより、連結ピン４０ａ、４０ｂに上下方向の摩擦力がはたらき操作レバー３０を固定することとなる。
【００４７】
以上が、ロック機構の仕組みである。なお、このようなロック機構を解除し、開状態にするには、操作レバー３０のリンク部３２ａ、３２ｂに対して図面左右方向の力を作用させればよい。すなわち、図３（ｂ）において、押引部３３を図面右方向に引くことでロック機構は解除され、開状態に移行することができる。
【００４８】
アーム２０ａ、２０ｂの材料は、生体組織との適合性を満たすものであって、可撓性があるものであればよい。例えば、チタン、ステンレス、樹脂が用いられうる。特に、上述した多層構造の人工血管を挟持する場合、止血鉗子には、血流を確実に遮断するための大きな挟持力が要求されるので、該止血鉗子は、チタン製が好ましい。しかし、チタンに限定されず、ステンレス製であってもよいし、また樹脂製とすることもできる。
【００４９】
次に、本実施例に示した本考案に係る止血鉗子１００の試作品を実際に製作し、当該試作品の挟持部２２ａ、２２ｂにおける挟持力を確認する実験を行った。第１の実験は、挟持部２２ａ、２２ｂの先端部、中央部、根元部の各部位における血流の遮断効果の有無について確認する実験である。
【００５０】
挟持力の測定方法は、米国Ｔｅｋｓｃａｎ社製の力センサ、ＦｌｅｘｉＦｏｒｃｅ（登録商標）ＥＬＦシステムにて、本考案に係る止血鉗子１００の先端部、中央部、根元部での挟持力を測定する方法を採用した。
【００５１】
詳細には、テルモ社製の多層構造の人工血管グラシル（登録商標）２００の片端を１２０ｍｍＨｇの圧力がかかるように、水を満たした回路に接続して、ねじ調節のできるブルドック鉗子及び本考案に係る止血鉗子１００の先端部、中央部、根元部で挟持した際に水流が遮断されるかを確認する方法を採用した。なお、ブルドック鉗子の場合はねじ調節の回転数を０回転、４回転、８回転として、それぞれ確認した。また、本考案に係る止血鉗子１００の場合は、調節機構がないため、同じ実験を３度繰り返して確認した。
【００５２】
測定結果は［表１］に示すように得られた。
【表１】
0003161832.tif 000003
【００５３】
［表１］のとおり、ブルドック鉗子の場合は、ねじ調節の回転数が８回転であって根元部分にのみ水流遮断効果が認められ、それ以外は水流を遮断しなかった。一方、本考案に係る止血鉗子１００の場合は、３度ともに先端部、中央部、根元部のいずれも水流遮断効果が認められた。
【００５４】
次に、本実施形態の遮断効果について挟持力を測定する第２の実験を行った。なお、第１の実験と同様、比較例としてねじ調節のできるブルドック鉗子を用意し同一条件で実験を行った。
【００５５】
測定方法は、米国Ｔｅｋｓｃａｎ社製の力センサ、ＦｌｅｘｉＦｏｒｃｅ（米国登録商標）ＥＬＦシステムにて、ねじ調節のできるブルドック鉗子ならびに本考案に係る止血鉗子１００の先端部、中央部、根元部での挟持力を測定する方法を採用した。なお、ブルドック鉗子の場合はねじ調節の回転数を０回転、４回転、８回転として、それぞれ確認した（単位はｇ）。また、本考案に係る止血鉗子１００の場合は、調節機構がないため、３度にわたり測定した。
【００５６】
【表２】
0003161832.tif 000004
【００５７】
［表２］のとおり、本考案に係る止血鉗子１００は、ブルドック鉗子に比較して、先端部、中央部、根元部での挟持力は強く、先端部及び中央部においても血流を遮断するだけの十分な挟持力を得ることが確認された。
【産業上の利用可能性】
【００５８】
本考案に係る止血鉗子は、特に人工血管に用いる止血鉗子として利用することができる。構造が簡単であり、また材料の選択や挟持部の離間間隔を調整することで挟持力は調整できるので、特定の人工血管のみならず広く適用できる汎用性を有する。
【符号の説明】
【００５９】
１００    止血鉗子
２０ａ、２０ｂ    アーム
２１    枢軸
２２ａ、２２ｂ    挟持部
２３ａ、２３ｂ    連結部
２４    軸支部
３０    操作レバー
３１    支軸
３２ａ、３２ｂ    リンク部
３３    押引部
４０ａ、４０ｂ    連結ピン
【図１】
0003161832.tif 000005
【図２】
0003161832.tif 000006
【図３】
0003161832.tif 000007
【図４】
0003161832.tif 000008